【手続補正書】
【提出日】平成18年11月1日(2006.11.1)
【手続補正１】
【補正対象書類名】明細書
【補正対象項目名】特許請求の範囲
【補正方法】変更
【補正の内容】
【特許請求の範囲】
【請求項１】  プリント基板に電子部品を実装する電子部品実装工程に設けられた実装設備において稼働中に発生した情報を検出し、前記情報に基づいて通知対象となったデータをメッセージとしてオペレータに通知するメッセージ通知システムであって、
前記実装設備から前記情報を受信する情報受信部と、
前記情報受信部で受信した前記情報に基づいて前記実装設備の現在の状況を示す現状情報を登録し、前記実装設備の停止前に前記現状情報から前記実装設備の設備停止が予想される前記現状情報を通知対象データとして選出する情報集計部と、
前記情報集計部で選出された前記通知対象データを送信するデータ送信部と、
オペレータによって携帯されることにより、前記データ送信部から送信された前記通知対象データを受信し、前記通知対象データをオペレータに通知するデータ受信通知部とを備える、メッセージ通知システム。
【請求項２】  前記通知対象データには、少なくとも一部に音声データが含まれ、
前記データ受信通知部は、
前記通知対象データを自動的に受信し、
前記音声データを直接前記オペレータに聴認させる音声データ通知部をさらに含むことを特徴とする、請求項１に記載のメッセージ通知システム。
【請求項３】  前記情報は、前記実装設備に実装部品として供給される電子部品の残数情報および前記実装設備の生産速度情報であり、
前記情報集計部は、前記残数情報および前記生産速度情報から前記実装設備において前記実装部品が不足する予想時間を算出し、前記予想時間が予め通知対象として設定された設定時間より少ない前記現状情報を前記通知対象データとして選出することを特徴とする、請求項１に記載のメッセージ通知システム。
【請求項４】  前記情報集計部は、前記設定時間を複数設定することにより、それら複数の前記設定時間に対応して前記通知対象データを選出することを特徴とする、請求項３に記載のメッセージ通知システム。
【請求項５】  前記情報は、前記実装設備の生産動作および実装品質の不適を表す不適情報であり、
前記情報集計部は、前記不適情報が予め通知対象として設定された設定条件より悪化している前記現状情報を前記通知対象データとして選出することを特徴とする、請求項１に記載のメッセージ通知システム。
【請求項６】  前記情報は、前記実装設備の生産進捗を表す生産進捗情報であり、
前記情報集計部は、前記生産進捗情報が予め通知対象として設定された設定数より少ない前記現状情報を前記通知対象データとして選出することを特徴とする、請求項１に記載のメッセージ通知システム。
【請求項７】  前記情報は、前記実装設備のトラブル停止を表すトラブル情報であり、
前記情報集計部は、前記トラブル情報が予め通知対象として設定された設定内容に合致する前記現状情報を前記通知対象データとして選出することを特徴とする、請求項１に記載のメッセージ通知システム。
【請求項８】  前記情報集計部は、前記現状情報とそれぞれの前記データ受信通知部に対応した固有値とを関連付ける受信管理部をさらに含み、
前記情報集計部は、前記現状情報から前記通知対象データを選出するとき、前記受信管理部で関連付けられている前記固有値も選出し、
前記データ送信部は、前記通知対象データを前記固有値に該当する前記データ受信通知部に送信することを特徴とする、請求項１に記載のメッセージ通知システム。
【請求項９】  前記受信管理部は、前記現状情報と前記固有値とを関連付けるとき、グループ化された複数の前記固有値と関連付け、
前記データ送信部は、前記通知対象データを前記グループ化された前記固有値に該当する複数の前記データ受信通知部に送信することを特徴とする、請求項８に記載のメッセージ通知システム。
【請求項１０】  プリント基板に電子部品を実装する電子部品実装工程に設けられた実装設備において稼働中に発生した情報を検出し、前記情報に基づいて通知対象となったデータをメッセージとしてオペレータに通知するメッセージ通知システムであって、
前記実装設備から前記情報を受信する情報受信部と、
前記情報受信部で受信した前記情報に基づいて前記実装設備の現在の状況を示す現状情報を登録し、前記実装設備の停止前に前記現状情報から前記実装設備の設備停止が予想される前記現状情報を通知対象データとして選出する情報集計部と、
前記情報集計部で選出された前記通知対象データを送信するデータ送信部とを備える、メッセージ通知システム。
【請求項１１】  プリント基板に電子部品を実装する電子部品実装工程に設けられた実装設備において稼働中に発生した情報を検出し、前記情報に基づいて通知対象となったデータをメッセージとしてオペレータに通知するメッセージ通知方法であって、
前記実装設備から前記情報を受信する情報受信ステップと、
前記情報受信ステップで受信した前記情報に基づいて前記実装設備の現在の状況を示す現状情報を登録し、前記実装設備の停止前に前記現状情報から前記実装設備の設備停止が予想される前記現状情報を通知対象データとして選出する情報集計ステップと、
前記情報集計ステップで選出された前記通知対象データを送信するデータ送信ステップと、
オペレータが携帯している装置に前記データ送信ステップで送信された前記通知対象データを受信させ、前記通知対象データをオペレータに通知するデータ受信通知ステップとを含む、メッセージ通知方法。
【請求項１２】  プリント基板に電子部品を実装する電子部品実装工程に設けられた実装設備において稼働中に発生した情報を検出し、前記情報に基づいて通知対象となったデータをメッセージとしてオペレータに通知するコンピュータで実行されるメッセージ通知プログラムであって、
前記実装設備から前記情報を受信する情報受信ステップと、
前記情報受信ステップで受信した前記情報に基づいて前記実装設備の現在の状況を示す現状情報を登録し、前記実装設備の停止前に前記現状情報から前記実装設備の設備停止が予想される前記現状情報を通知対象データとして選出する情報集計ステップと、
前記情報集計ステップで選出された前記通知対象データを送信するデータ送信ステップと、
オペレータが携帯している装置に前記データ送信ステップで送信された前記通知対象データを受信し、前記通知対象データをオペレータに通知するデータ受信通知ステップとを、前記コンピュータに実行させるメッセージ通知プログラム。
【手続補正２】
【補正対象書類名】明細書
【補正対象項目名】０００８
【補正方法】変更
【補正の内容】
【０００８】
【課題を解決するための手段および発明の効果】
上記目的を達成するために、本発明は、以下に述べるような特徴を有している。
第１の発明は、プリント基板に電子部品を実装する電子部品実装工程に設けられた実装設備において稼働中に発生した情報を検出し、情報に基づいて通知対象となったデータをメッセージとしてオペレータに通知するメッセージ通知システムであって、
実装設備から情報を受信する情報受信部と、
受信部で受信した情報に基づいて実装設備の現在の状況を示す現状情報を登録し、実装設備の停止前に現状情報から実装設備の設備停止が予想される現状情報を通知対象データとして選出する情報集計部と、
情報集計部で選出された通知対象データを送信するデータ送信部と、
オペレータによって携帯されることにより、データ送信部から送信された通知対象データを受信し、通知対象データをオペレータに通知するデータ通知部とを備える。
【手続補正３】
【補正対象書類名】明細書
【補正対象項目名】０００９
【補正方法】変更
【補正の内容】
【０００９】
第１の発明によれば、高速に稼働し、多量の部品を実装する電子部品実装工程に設けられた実装設備の停止が事前に予想できる事象に対して通知対象データを送信することにより、設備停止前の適切な時期にその事象を当該工程を監視しているオペレータが携帯している受信通知部に通知することができる。したがって、当該オペレータが、上記通知に基づいて上記設備に適切な処置を行うことにより、上記設備の停止を未然に防ぐことができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
第３の発明は、第１の発明に従属する発明であって、
情報は、実装設備に実装部品として供給される電子部品の残数情報および実装設備の生産速度情報であり、
情報集計部は、残数情報および生産速度情報から実装設備において実装部品が不足する予想時間を算出し、予想時間が予め通知対象として設定された設定時間より少ない現状情報を通知対象データとして選出することを特徴とする。
【手続補正７】
【補正対象書類名】明細書
【補正対象項目名】００１５
【補正方法】変更
【補正の内容】
【００１５】
第３の発明によれば、実装設備の部品残数情報から部品が不足する予想時間を算出し、上記予想時間が予め設定された設定時間以下になった場合、その事象をオペレータに通知するため、当該オペレータは、設備が部品不足によって停止する前に、部品補給等の処置を行うことができる。
【手続補正８】
【補正対象書類名】明細書
【補正対象項目名】００１６
【補正方法】変更
【補正の内容】
【００１６】
第４の発明は、第３の発明に従属する発明であって、
情報集計部は、設定時間を複数設定することにより、それら複数の設定時間に対応して通知対象データを選出することを特徴とする。
【手続補正９】
【補正対象書類名】明細書
【補正対象項目名】００１７
【補正方法】変更
【補正の内容】
【００１７】
第４の発明によれば、設定時間を複数設定することにより、その設定時間に応じた通知を複数回、オペレータに通知することができる。
【手続補正１０】
【補正対象書類名】明細書
【補正対象項目名】００１８
【補正方法】変更
【補正の内容】
【００１８】
第５の発明は、第１の発明に従属する発明であって、
情報は、実装設備の生産動作および実装品質の不適を表す不適情報であり、
情報集計部は、不適情報が予め通知対象として設定された設定条件より悪化している現状情報を通知対象データとして選出することを特徴とする。
【手続補正１１】
【補正対象書類名】明細書
【補正対象項目名】００１９
【補正方法】変更
【補正の内容】
【００１９】
第５の発明によれば、実装設備の不適情報が、予め設定された設定条件より悪化した場合、その事象をオペレータに通知するため、当該オペレータは、設備が大量の不良品発生等によって停止する前に、設備改善等の処置を行うことができる。
【手続補正１２】
【補正対象書類名】明細書
【補正対象項目名】００２０
【補正方法】変更
【補正の内容】
【００２０】
第６の発明は、第１の発明に従属する発明であって、
情報は、実装設備の生産進捗を表す生産進捗情報であり、
情報集計部は、生産進捗情報が予め通知対象として設定された設定数より少ない現状情報を通知対象データとして選出することを特徴とする。
【手続補正１３】
【補正対象書類名】明細書
【補正対象項目名】００２１
【補正方法】変更
【補正の内容】
【００２１】
第６の発明によれば、実装設備の生産進捗情報が、予め設定された設定数より少ない場合、その事象をオペレータに通知するため、当該オペレータは、設備が大幅な生産遅延によって停止する前に、設備改善等の処置を行うことができる。
【手続補正１４】
【補正対象書類名】明細書
【補正対象項目名】００２２
【補正方法】変更
【補正の内容】
【００２２】
第７の発明は、第１の発明に従属する発明であって、
情報は、実装設備のトラブル停止を表すトラブル情報であり、
情報集計部は、トラブル情報が予め通知対象として設定された設定内容に合致する現状情報を通知対象データとして選出することを特徴とする。
【手続補正１５】
【補正対象書類名】明細書
【補正対象項目名】００２３
【補正方法】変更
【補正の内容】
【００２３】
第７の発明によれば、実装設備のトラブル情報を、予め設定された通知が必要な情報のみ、その事象をオペレータに通知するため、当該オペレータは、処置が必要な設備トラブル通知のみ受信することになり、不要なトラブル通知を受信することがない。
【手続補正１６】
【補正対象書類名】明細書
【補正対象項目名】００２４
【補正方法】変更
【補正の内容】
【００２４】
第８の発明は、第１の発明に従属する発明であって、
情報集計部は、現状情報とそれぞれのデータ受信通知部に対応した固有値とを関連付ける受信管理部をさらに含み、
情報集計部は、現状情報から通知対象データを選出するとき、受信管理部で関連付けられている固有値も選出し、
データ送信部は、通知対象データを固有値に該当するデータ受信通知部に送信することを特徴とする。
【手続補正１７】
【補正対象書類名】明細書
【補正対象項目名】００２５
【補正方法】変更
【補正の内容】
【００２５】
第８の発明によれば、通知対象データを、その情報内容に応じた適切なオペレータが所有する受信通知部に送信することができる。
【手続補正１８】
【補正対象書類名】明細書
【補正対象項目名】００２６
【補正方法】変更
【補正の内容】
【００２６】
第９の発明は、第８の発明に従属する発明であって、
受信管理部は、現状情報と固有値とを関連付けるとき、グループ化された複数の固有値と関連付け、
データ送信部は、通知対象データをグループ化された固有値に該当する複数のデータ受信通知部に送信することを特徴とする。
【手続補正１９】
【補正対象書類名】明細書
【補正対象項目名】００２７
【補正方法】変更
【補正の内容】
【００２７】
第９の発明によれば、その事象内容の実装設備の処理に複数人数のオペレータが必要な場合、通知対象データを、複数人数で構成される適切なオペレータグループに送信することができる。
【手続補正２０】
【補正対象書類名】明細書
【補正対象項目名】００２８
【補正方法】変更
【補正の内容】
【００２８】
第１０の発明は、プリント基板に電子部品を実装する電子部品実装工程に設けられた実装設備において稼働中に発生した情報を検出し、情報に基づいて通知対象となったデータをメッセージとしてオペレータに通知するメッセージ通知システムであって、
実装設備から情報を受信する情報受信部と、
受信部で受信した情報に基づいて実装設備の現在の状況を示す現状情報を登録し、実装設備の停止前に現状情報から実装設備の設備停止が予想される現状情報を通知対象データとして選出する情報集計部と、
情報集計部で選出された通知対象データを送信するデータ送信部とを備える。
【手続補正２１】
【補正対象書類名】明細書
【補正対象項目名】００２９
【補正方法】変更
【補正の内容】
【００２９】
第１０の発明によれば、設置されている電子部品実装工程の設備の停止が事前に予想できる事象に対して通知対象データを送信することにより、設備停止前の適切な時期にその事象を通知することができる。したがって、当該オペレータが、上記通知に基づいて上記設備に適切な処置を行うことにより、上記設備の停止を未然に防ぐことができる。
【手続補正２２】
【補正対象書類名】明細書
【補正対象項目名】００３０
【補正方法】変更
【補正の内容】
【００３０】
第１１の発明は、プリント基板に電子部品を実装する電子部品実装工程に設けられた実装設備において稼働中に発生した情報を検出し、情報に基づいて通知対象となったデータをメッセージとしてオペレータに通知するメッセージ通知方法であって、
実装設備から情報を受信する情報受信ステップと、
情報受信ステップで受信した情報に基づいて実装設備の現在の状況を示す現状情報を登録し、実装設備の停止前に現状情報から実装設備の設備停止が予想される現状情報を通知対象データとして選出する情報集計ステップと、
情報集計ステップで選出された通知対象データを送信するデータ送信ステップと、
オペレータが携帯している装置にデータ送信ステップで送信された通知対象データを受信させ、通知対象データをオペレータに通知するデータ受信通知ステップとを含む。
【手続補正２３】
【補正対象書類名】明細書
【補正対象項目名】００３１
【補正方法】変更
【補正の内容】
【００３１】
第１１の発明によれば、高速に稼働し、多量の部品を実装する電子部品実装工程に設けられた実装設備の停止が事前に予想できる事象に対して通知対象データを送信することにより、設備停止前の適切な時期にその事象を当該工程を監視しているオペレータに通知することができる。したがって、当該オペレータが、上記通知に基づいて上記設備に適切な処置を行うことにより、上記設備の停止を未然に防ぐことができる。
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】変更
【補正の内容】
【００５２】
第１２の発明は、プリント基板に電子部品を実装する電子部品実装工程に設けられた実装設備において稼働中に発生した情報を検出し、情報に基づいて通知対象となったデータをメッセージとしてオペレータに通知するコンピュータで実行されるメッセージ通知プログラムであって、
実装設備から情報を受信する情報受信ステップと、
情報受信ステップで受信した情報に基づいて実装設備の現在の状況を示す現状情報を登録し、実装設備の停止前に現状情報から実装設備の設備停止が予想される現状情報を通知対象データとして選出する情報集計ステップと、
情報集計ステップで選出された通知対象データを送信するデータ送信ステップと、
オペレータが携帯している装置にデータ送信ステップで送信された通知対象データを受信させ、通知対象データをオペレータに通知するデータ受信通知ステップとを、コンピュータに実行させる。
【手続補正４５】
【補正対象書類名】明細書
【補正対象項目名】００５３
【補正方法】変更
【補正の内容】
【００５３】
第１２の発明によれば、高速に稼働し、多量の部品を実装する電子部品実装工程に設けられた実装設備の停止が事前に予想できる事象に対して通知対象データを送信することにより、設備停止前の適切な時期にその事象を当該工程を監視しているオペレータに通知することができる。したがって、当該オペレータが、上記通知に基づいて上記設備に適切な処置を行うことにより、上記設備の停止を未然に防ぐことができる。
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】削除
【補正の内容】
【手続補正５４】
【補正対象書類名】明細書
【補正対象項目名】００６２
【補正方法】削除
【補正の内容】
【手続補正５５】
【補正対象書類名】明細書
【補正対象項目名】００６３
【補正方法】削除
【補正の内容】
【手続補正５６】
【補正対象書類名】明細書
【補正対象項目名】００６４
【補正方法】削除
【補正の内容】
【手続補正５７】
【補正対象書類名】明細書
【補正対象項目名】００６５
【補正方法】削除
【補正の内容】
【手続補正５８】
【補正対象書類名】明細書
【補正対象項目名】００６６
【補正方法】削除
【補正の内容】
【手続補正５９】
【補正対象書類名】明細書
【補正対象項目名】００６７
【補正方法】削除
【補正の内容】
【手続補正６０】
【補正対象書類名】明細書
【補正対象項目名】００６８
【補正方法】削除
【補正の内容】
【手続補正６１】
【補正対象書類名】明細書
【補正対象項目名】００６９
【補正方法】削除
【補正の内容】
【手続補正６２】
【補正対象書類名】明細書
【補正対象項目名】００７０
【補正方法】削除
【補正の内容】
【手続補正６３】
【補正対象書類名】明細書
【補正対象項目名】００７１
【補正方法】削除
【補正の内容】
【手続補正６４】
【補正対象書類名】明細書
【補正対象項目名】００７２
【補正方法】削除
【補正の内容】
【手続補正６５】
【補正対象書類名】明細書
【補正対象項目名】００７３
【補正方法】削除
【補正の内容】